(57)【特許請求の範囲】
【請求項１】
第１段のレンガの左端側と第２段のレンガの右端側とが上下に重なり、各段において左右に隣接するレンガが間欠的に配置されるように、各段を互い違いに積み上げた透かしレンガ積み壁材の構築方法であって、
上面の左端側および右端側に上ダボ穴を空け、下面の左端側および右端側に前記上ダボ穴より浅い下ダボ穴を空けたレンガと、
前記レンガの上ダボ穴からその上側のレンガの下ダボ穴まで挿し込まれるダボピンと、
前記ダボピンを貫通可能に水平方向へ突出させることで前記レンガを載置する支持金具と、を有し、
前記ダボピンは、軸体の下に前記下ダボ穴の長さ以上に収縮可能なバネ材が取り付けられ、前記レンガの上ダボ穴に押し込んだときに前記支持金具にその上側のレンガが載置されるまで前記支持金具で収縮を維持させる、
ことを特徴とする透かしレンガ積み壁材の構築方法。
【請求項２】
前記支持金具は、下地材に当接させる背板から前記レンガを載置するための載板を切り出すことで前記レンガと前記下地材を接着するための空部を設け、さらに前記空部に前記下地材から浮くようにブリッジを形成することで接着剤を絡ませる、
ことを特徴とする請求項１に記載の透かしレンガ積み壁材の構築方法。
【請求項３】
前記バネ材は、前記ダボピンの軸体と同径のコイルバネである、
ことを特徴とする請求項１又は２に記載の透かしレンガ積み壁材の構築方法。
【請求項４】
前記レンガとその上側のレンガとの間に前記ダボピンを囲むようにモルタル又はゴムの目地材が充填される、
ことを特徴とする請求項１乃至３の何れか一に記載の透かしレンガ積み壁材の構築方法。
【発明の詳細な説明】
【技術分野】
【０００１】
本発明は、レンガを積み上げてデザイン性のある外壁を形成するための透かしレンガ積み壁材の構築方法に関する。
【背景技術】
【０００２】
建物の外壁の仕上方法として、下地材にモルタルで壁材を貼着する湿式工法や、下地材に固定した支持金具に壁材を係止して接着剤で貼着する乾式工法などがある。壁材としては、タイルや石材のほかにレンガなども用いられる。レンガの左端側に別のレンガの右端側を重ねることを交互に繰り返して隙間のある状態で積み上げた透かしレンガ積みという積み方もある。
【０００３】
透かしレンガ積みでは、レンガが重なる部分に鉄筋を通した上で下から上に順次積み上げていく。特許文献１に記載されているように、ガラスレンガの上下面に係留溝が形成され、係留溝に係合片を嵌入させて支持する発明も開示されている。
【先行技術文献】
【特許文献】
【０００４】
【特許文献１】特開２００７−１５４６４８号公報
【発明の概要】
【発明が解決しようとする課題】
【０００５】
しかしながら、物が当たってレンガが割れたり、経年劣化によりレンガが脆くなったり、部分的に破損する場合がある。鉄筋を通している場合も、係留溝に係合片を嵌入させている場合も、中間部に配置されているレンガのみを交換することはできない。一度積み上げたレンガは、上から順に破損したレンガまで解体する必要がある。
【０００６】
そこで、本発明は、積み上げられたレンガが部分的に破損した場合でも、全体的に組み直すことなく、破損したレンガだけを交換可能な透かしレンガ積み壁材の構築方法を提供することを目的とする。
【課題を解決するための手段】
【０００７】
上記の課題を解決するために、本発明は、第１段のレンガの左端側と第２段のレンガの右端側とが上下に重なり、各段において左右に隣接するレンガが間欠的に配置されるように、各段を互い違いに積み上げた透かしレンガ積み壁材の構築方法であって、上面の左端側および右端側に上ダボ穴を空け、下面の左端側および右端側に前記上ダボ穴より浅い下ダボ穴を空けたレンガと、前記レンガの上ダボ穴からその上側のレンガの下ダボ穴まで挿し込まれるダボピンと、前記ダボピンを貫通可能に水平方向へ突出させることで前記レンガを載置する支持金具と、を有し、前記ダボピンは、軸体の下に前記下ダボ穴の長さ以上に収縮可能なバネ材が取り付けられ、前記レンガの上ダボ穴に押し込んだときに前記支持金具にその上側のレンガが載置されるまで前記支持金具で収縮を維持させる、ことを特徴とする。
【０００８】
前記透かしレンガ積み壁材の構築方法において、前記支持金具は、下地材に当接させる背板から前記レンガを載置するための載板を切り出すことで前記レンガと前記下地材を接着するための空部を設け、さらに前記空部に前記下地材から浮くようにブリッジを形成することで接着剤を絡ませる、ことを特徴とする。
【０００９】
前記透かしレンガ積み壁材の構築方法において、前記バネ材は、前記ダボピンの軸体と同径のコイルバネである、ことを特徴とする。
【００１０】
前記透かしレンガ積み壁材の構築方法において、前記レンガとその上側のレンガとの間に前記ダボピンを囲むようにモルタル又はゴムの目地材が充填される、ことを特徴とする。
【発明の効果】
【００１１】
本発明によれば、積み上げられたレンガが部分的に破損した場合でも、全体的に組み直すことなく、破損したレンガだけを交換することができる。交換対象のレンガのみを破壊する等して取り除き、新たなレンガを上下から支持した状態で嵌め込むことができる。
【図面の簡単な説明】
【００１２】
【図１】本発明である透かしレンガ積み壁材の構築方法によって構築された外壁の正面図である。
【図２】本発明である透かしレンガ積み壁材の構築方法によって構築された外壁の横断面図である。
【図３】本発明である透かしレンガ積み壁材の構築方法によって湿式で構築された外壁の縦断面図である。
【図４】本発明である透かしレンガ積み壁材の構築方法によって乾式で構築された外壁の縦断面図である。
【図５】本発明である透かしレンガ積み壁材の構築方法で使用する支持金具を示す斜視図である。
【図６】本発明である透かしレンガ積み壁材の構築方法で使用するダボ用金具を示す三面図である。
【図７】本発明である透かしレンガ積み壁材の構築方法で使用する補助プレートを示す三面図である。
【図８】本発明である透かしレンガ積み壁材の構築方法で使用するダボピンの斜視図である。
【図９】本発明である透かしレンガ積み壁材の構築方法で使用するダボピンの正面図である。
【図１０】本発明である透かしレンガ積み壁材の構築方法によって構築された外壁においてレンガを交換する状況を説明する図である。
【発明を実施するための形態】
【００１３】
以下に、本発明の実施形態について図面を参照して詳細に説明する。同一機能を有するものは同一符号を付け、その繰り返しの説明は省略する場合がある。
【実施例１】
【００１４】
まず、本発明である透かしレンガ積み壁材の構造について説明する。なお、レンガのある側を前側または表側とし、下地材のある側を後側または裏側とする。
【００１５】
図１は、透かしレンガ積み壁材の構築方法によって構築された外壁の正面図である。図２（ａ）は、外壁をＡ−Ａで切断した第１段の横断面図であり、図２（ｂ）は、外壁をＢ−Ｂで切断した第２段の横断面図である。図３は、外壁をＣ−Ｃで切断した縦断面図であり、湿式工法で構築した例である。図４は、外壁をＣ−Ｃで切断した縦断面図であり、乾式工法で構築した例である。
【００１６】
図１に示すように、外壁１００を複数のレンガ２００（２００ａ、２００ｂ）を使用した透かしレンガ積み壁材で構築する場合、第１段のレンガ２００ａの左端側と第２段のレンガ２００ｂの右端側とが上下に重なり、各段において左右に隣接するレンガ２００が間欠的に配置されるように、各段を互い違いに積み上げられる。
【００１７】
レンガ２００は、粘土などを型に入れ、窯で焼き固めた建築材料であり、主に直方体状のものを積み上げて外壁を形成するのに用いられていた。現在では、木造や鉄筋コンクリート造の外壁の表面に、タイルのように仕上材として貼り付ける場合もある。また、古い建物を解体したときに得られたアンティークレンガを板状に切断加工したスライスレンガとして再利用することもある。
【００１８】
レンガ２００は、横長の直方体状であり、外壁１００の下地材１１０に固定された支持金具に載置される。支持金具は、縦長のダボ用金具４００と補助プレート５００のセットであり、複数本が横方向に所定の間隔を置いて配置され、縦に複数のレンガ２００を載置可能である。
【００１９】
レンガ２００のうち、第１段のレンガ２００ａは、１つ目の左端側を第１の支持金具に、右端側を第２の支持金具に載せ、２つ目の左端側を第３の支持金具に、右端側を第４の支持金具に載せ、１つ目と２つ目の間が空けられる。第２段のレンガ２００ｂは、１つ目の左端側を第２の支持金具に、右端側を第３の支持金具に載せ、第１段のレンガ２００ａとは横に半分ずらす。第３段は、第１段と同様にすると、各段が互い違いになる。
【００２０】
第２の支持金具に、第１段のレンガ２００ａの右端側と、第２段のレンガ２００ｂの左端側が載り、レンガ２００ａとレンガ２００ｂに上下に重なった部分が生じるので、そこをダボピン６００で上下に連結する。
【００２１】
図２、３に示すように、レンガ２００の上面には、左端側に上ダボ穴２１０ａ、右端側に上ダボ穴２１０ｂが空けられ、下面には、左端側に下ダボ穴２２０ａ、右端側に下ダボ穴２２０ｂが空けられる。第１段のレンガ２００ａの右端側のダボ穴２１０ｂ、２２０ｂと、第２段のレンガ２００ｂの左端側のダボ穴２１０ａ、２２０ａとは、一直線上に空くことになる。
【００２２】
上ダボ穴２１０はレンガ２００の中央付近まで深く空けられ、下ダボ穴２２０は上ダボ穴２１０より浅く空けられる。レンガ２００ｂの上ダボ穴２１０からその上側のレンガ２００ａの下ダボ穴２２０までダボピン６００が挿し込まれる。なお、ダボピン６００が抜け落ちないように、上ダボ穴２１０は下ダボ穴２２０に貫通させない。
【００２３】
支持金具は、留具１２０で下地材１１０に固定される。留具１２０は、下地材１１０にプラグを埋め込み、ビス等をプラグに螺合させる等すれば良い。さらに、支持金具に載置されたレンガ２００は、弾性系などの接着剤１３０で下地材１１０に貼着される。
【００２４】
第２段のレンガ２００ｂと、その上側にある第１段のレンガ２００ａとの間には、ダボピン６００を囲むように目地材３００が充填される。図３に示すように、モルタル等を使用して湿式で施工しても良いし、図４に示すように、クロロプレンゴム等を使用して乾式で施工しても良い。
【００２５】
図５は、透かしレンガ積み壁材の構築方法で使用する支持金具（ダボ用金具および補助プレート）を示す斜視図である。図６は、透かしレンガ積み壁材の構築方法で使用するダボ用金具を示す（ａ）平面図（ｂ）正面図（ｃ）右側面図である。図７は、透かしレンガ積み壁材の構築方法で使用する補助プレートを示す（ａ）平面図（ｂ）正面図（ｃ）右側面図である。
【００２６】
図５に示すように、支持金具は、ダボ用金具４００の後側に補助プレート５００を配置して前後に重ねたものである。なお、ダボ用金具４００の前側に補助プレート５００を重ねるように成形しても良いし、ダボ用金具４００と補助プレート５００を一体成形した支持金具でも良い。
【００２７】
支持金具は、下地材１１０に当接させるダボ用金具４００の背板４１０からレンガ２００を載置するための載板４３０を切り出すことでレンガ２００と下地材１１０を接着するための空部４４０を設け、さらに空部４４０に下地材１１０から浮くように補助プレート５００でブリッジ５３０を形成することで接着剤１３０を絡ませる。
【００２８】
ダボ用金具４００と補助プレート５００を重ねたとき、補助プレート５００のブリッジ５３０を、ダボ用金具４００の空部４４０に通し、ダボ用金具４００の表側に突出させる。レンガ２００と下地材１１０の間の接着剤１３０の中にブリッジ５３０が通ることで、接着剤１３０の剥離が抑制される。
【００２９】
また、ダボ用金具４００の留孔４６０と、補助プレート５００の通孔５４０は、支持金具を下地材１１０に固定するための留具１２０を通すための孔であり、下地材１１０まで抜けるように位置を合わせれば良い。
【００３０】
図６に示すように、ダボ用金具４００は、縦長の背板４１０の左右両端を前側に折り曲げて垂立させた側板４２０を設けることで、レンガ２００と下地材１１０の間に空間を確保するとともに、支持金具を下地材１１０に固定するための留具１２０の頭部を収容するための空間が確保される。
【００３１】
ダボ用金具４００の背板４１０に逆Ｕ字状に切り出して、前側へ水平方向に突出させた載板４３０にピン孔４５０を空けることで、載板４３０にレンガ２００ａを載せたときに、下側のレンガ２００ｂから上方に突出するダボピン６００を貫通させ、レンガ２００同士を上下に連結可能となる。
【００３２】
載板４３０を切り出すことで形成された空部４４０は、支持金具が配置された場所において、下地材１１０からレンガ２００まで接着剤１３０を通すための隙間となる。また、補助プレート５００のブリッジ５３０を通すための隙間にもなる。
【００３３】
図７に示すように、補助プレート５００は、縦長の後板５１０に対して、ダボ用金具４００の空部４４０と重なる位置において、ブリッジ５３０と間隙５２０が設けられる。間隙５２０を空ける際に、間欠的に複数（例えば２本）の縦線状の部分を残し、前側に押し上げるようにプレス加工することでブリッジ５３０を形成すれば良い。
【００３４】
図８は、透かしレンガ積み壁材の構築方法で使用するダボピンの斜視図である。図９は、ダボピンの正面図である。図１０は、透かしレンガ積み壁材の構築方法によって構築された外壁においてレンガを交換する状況を説明する図である。
【００３５】
図８、９に示すように、ダボピン６００は、軸体６１０の下に下ダボ穴２２０の長さ以上に収縮可能なバネ材６２０が取り付けられる。バネ材６２０は、ダボピン６００の軸体６１０と同径のコイルバネ等が用いられる。
【００３６】
外壁１００を新設する場合は、下から順にレンガ２００を積み上げていけば良い。ダボ用金具４００の載板４３０にレンガ２００を載せ、上側に載せるレンガ２００の下ダボ穴２２０に挿せるように、ピン孔４５０及び上ダボ穴２１０にダボピン６００を通しておけば良い。
【００３７】
図１０に示すように、既設の外壁１００において途中のレンガ２００ａを交換する場合は、既に載置されている下側のレンガ２００ｂの上ダボ穴２１０にダボピン６００ｂを押し込んで、ダボ用金具４００の載板４３０を利用して、ダボピン６００ｂのバネ材６２０の収縮を維持させる。なお、載板４３０のピン孔４５０を開閉式にしても良いし、ピン孔４５０を塞ぐために板材などのシャッターを介在させても良い。
【００３８】
交換対象のレンガ２００ａの上ダボ穴２１０にダボピン６００ａを挿し、既に載置されている上側のレンガ２００ｃを利用して、ダボピン６００ａのバネ材６２０の収縮を維持させつつ、レンガ２００ａを嵌め込む。
【００３９】
レンガ２００ａが嵌め込まれると、ダボピン６００ａはバネ材６２０の収縮が解除されて上側のレンガ２００ｃの下ダボ穴２２０に入り込む。また、レンガ２００ａが載置された載板４３０のピン孔４５０を開放することで、ダボピン６００ｂのバネ材６２０の収縮が解除され、レンガ２００ａの下ダボ穴２２０に入り込む。
【００４０】
本発明によれば、積み上げられたレンガが部分的に破損した場合でも、全体的に組み直すことなく、破損したレンガだけを交換することができる。交換対象のレンガのみを破壊する等して取り除き、新たなレンガを上下から支持した状態で嵌め込むことができる。
【００４１】
以上、本発明の実施例を述べたが、これらに限定されるものではない。例えば、透かしレンガ積みだけでなく、他のレンガ積みにも適用することができる。また、レンガだけでなく、タイル、樹脂、木材、石材などの壁材にも適用することができる。
【符号の説明】
【００４２】
１００：外壁
１１０：下地材
１２０：留具
１３０：接着剤
２００：レンガ
２１０：上ダボ穴
２２０：下ダボ穴
３００：目地材
４００：ダボ用金具
４１０：背板
４２０：側板
４３０：載板
４４０：空部
４５０：ピン孔
４６０：留孔
５００：補助プレート
５１０：後板
５２０：間隙
５３０：ブリッジ
５４０：通孔
６００：ダボピン
６１０：軸体
６２０：バネ材
【要約】
【課題】積み上げられたレンガが部分的に破損した場合でも、全体的に組み直すことなく、破損したレンガだけを交換する。
【解決手段】第１段のレンガの左端側と第２段のレンガの右端側とが上下に重なり、各段において左右に隣接するレンガが間欠的に配置されるように、各段を互い違いに積み上げた透かしレンガ積み壁材の構築方法であって、上面の左端側および右端側に上ダボ穴を空け、下面の左端側および右端側に前記上ダボ穴より浅い下ダボ穴を空けたレンガと、レンガの上ダボ穴からその上側のレンガの下ダボ穴まで挿し込まれるダボピンと、ダボピンを貫通可能に水平方向へ突出させることでレンガを載置する支持金具とを有し、ダボピンは、軸体の下に下ダボ穴の長さ以上に収縮可能なバネ材が取り付けられ、レンガの上ダボ穴に押し込んだときに支持金具にその上側のレンガが載置されるまで支持金具で収縮を維持させる。
【選択図】図１【図１】
0006945911.tif 000002
【図２】
0006945911.tif 000003
【図３】
0006945911.tif 000004
【図４】
0006945911.tif 000005
【図５】
0006945911.tif 000006
【図６】
0006945911.tif 000007
【図７】
0006945911.tif 000008
【図８】
0006945911.tif 000009
【図９】
0006945911.tif 000010
【図１０】
0006945911.tif 000011